(57)【要約】【課題】電動送風機による吸引力の低下を和らげることができる電気掃除機を提供する。【解決手段】電動送風機１４と、前記電動送風機１４によって吸引された塵埃を捕捉するフィルタ１１を有する塵埃集塵装置１３と、前記塵埃が通過する空気流路１１０に設けられ前記塵埃を検出する塵埃センサー（図示せず）と、前記フィルタ１１に振動を加えるバイブレーター１２と、前記塵埃センサーの出力に応じて前記バイブレーター１２を駆動させる制御手段８とを備えたもので、塵埃センサーで塵埃を検知する度に、すなわち塵埃集塵装置１３の中に塵埃が入るたびにバイブレーター１２を振動させるようにすれば、その振動により微細な塵埃がフィルタ１１の一定の個所に滞留するのを防ぎ、微細な塵埃がフィルタ１１の繊維に入り込むことによって起こる電気掃除機による吸引力の低下を和らげることができる。【選択図】図１
2007296050.tif 000002
【特許請求の範囲】
【請求項１】
電動送風機と、前記電動送風機によって吸引された塵埃を捕捉するフィルタを有する塵埃集塵装置と、前記塵埃が通過する空気流路に設けられ前記塵埃を検出する塵埃センサーと、前記フィルタに振動を加えるバイブレーターと、前記塵埃センサーの出力に応じて前記バイブレーターを駆動させる制御手段とを備えた電気掃除機。
【請求項２】
フィルタを紙パックで形成した請求項１に記載の電気掃除機。
【請求項３】
制御手段は、塵埃センサーの出力波形により塵埃の大きさを判断し、前記塵埃の大きさに応じてバイブレーターの振動数を変化させるようにした請求項１又は２に記載の電気掃除機。
【請求項４】
バイブレーターを複数個備えた請求項１〜３のいずれか１項に記載の電気掃除機。
【請求項５】
電動送風機への通電を停止した後も、バイブレーターを駆動するようにした請求項１〜４のいずれか１項に記載の電気掃除機。
【請求項６】
塵埃センサーの信号をパルス信号に変換するパルス変換部を設け、前記パルス変換部からの信号の積算量に応じて、電動送風機への通電停止後のバイブレーターの駆動時間を変えるようにした請求項５に記載の電気掃除機。
【請求項７】
塵埃センサーの信号をパルス信号に変換するパルス変換部を設け、前記パルス変換部からの信号の積算量に応じて、電動送風機への通電停止後のバイブレーターの駆動時の振動数を変えるようにした請求項５に記載の電気掃除機。
【請求項８】
塵埃センサーの信号をパルス信号に変換するパルス変換部を設け、前記パルス変換部からの信号の積算量に応じて、電動送風機への通電停止後のバイブレーターの駆動時の振幅を変えるようにした請求項５に記載の電気掃除機。
【請求項９】
塵埃集塵装置と連通すると共に被掃除面から塵埃を吸引する吸込具と、前記被掃除面上で前記吸込具を移動させるときに握るハンドルを備え、塵埃センサーの出力に応じて駆動される第２のバイブレーターを前記ハンドルに設けた請求項１〜８のいずれか１項に記載の電気掃除機。
【発明の詳細な説明】
【技術分野】
【０００１】
本発明は、電気掃除機に関するもので、特に、除塵機能付の電気掃除機に関するものである。
【背景技術】
【０００２】
従来のこの種の電気掃除機は、電動送風機と、集塵装置と、集塵装置後方に設けられた除塵手段とを備え、その除塵手段を、非運転時に、電動または手動によって振動させて、集塵装置に備えられたフィルタもしくは紙パック式の塵埃装置に付着した塵埃を除塵するように構成されていた（例えば、特許文献１参照）。
【特許文献１】特開２００５−５８６４１号公報
【発明の開示】
【発明が解決しようとする課題】
【０００３】
しかしながら、上記従来の電気掃除機の構成では、連続運転で塵埃を吸い続けた場合、電動送風機からの吸引によって微細な塵埃が一定個所に滞留することで、集塵装置のフィルタまたは紙パックの繊維の中に入り込んでしまい、吸引力が低下するといった課題があった。
【０００４】
本発明は、上記従来の課題を解決するもので、吸引力の低下を和らげ、長期間に渡って優れた掃除性能を発揮することができる電気掃除機を提供することを目的とする。
【課題を解決するための手段】
【０００５】
前記従来の課題を解決するために、本発明の電気掃除機は、電動送風機と、前記電動送風機によって吸引された塵埃を捕捉するフィルタを有する塵埃集塵装置と、前記塵埃が通過する空気流路に設けられ前記塵埃を検出する塵埃センサーと、前記フィルタに振動を加えるバイブレーターと、前記塵埃センサーの出力に応じて前記バイブレーターを駆動させる制御手段とを備えたもので、塵埃集塵装置の中に塵埃が入るたびにバイブレーターを振動させるようにすれば、その振動により微細な塵埃がフィルタの一定の個所に滞留するのを防ぎ、微細な塵埃がフィルタの繊維に入り込むことによって起こる電気掃除機の吸引力の低下を和らげることができる。
【発明の効果】
【０００６】
本発明の電気掃除機は、バイブレーターの振動によって塵埃集塵装置のフィルタの目詰まりを防ぎ、電気掃除機の吸引力の低下を和らげ、長期間に渡って優れた掃除性能を発揮することができる。
【発明を実施するための最良の形態】
【０００７】
第１の発明は、電動送風機と、前記電動送風機によって吸引された塵埃を捕捉するフィルタを有する塵埃集塵装置と、前記塵埃が通過する空気流路に設けられ前記塵埃を検出する塵埃センサーと、前記フィルタに振動を加えるバイブレーターと、前記塵埃センサーの出力に応じて前記バイブレーターを駆動させる制御手段とを備えたもので、塵埃集塵装置の中に塵埃が入るたびにバイブレーターを振動させるようにすれば、その振動により微細な塵埃がフィルタの一定の個所に滞留するのを防ぎ、微細な塵埃がフィルタの繊維に入り込むことによって起こる電気掃除機の吸引力の低下を和らげることができる。
【０００８】
第２の発明は、特に、第１の発明のフィルタを紙パックで形成したもので、フィルタの手入れを必要とせず紙パックを交換するだけでよいので、使い勝手のよい電気掃除機を提供することができる。
【０００９】
第３の発明は、特に、第１又は第２の発明の制御手段は、塵埃センサーの出力波形により塵埃の大きさを判断し、前記塵埃の大きさに応じてバイブレーターの振動数を変化させるようにしたもので、消費電力を抑え運転コストを削減することができる。
【００１０】
第４の発明は、特に、第１〜３のいずれか一つの発明のバイブレーターを複数個備えたもので、微細な塵埃がフィルタの繊維に入り込むことによって起こる吸引力の低下をより確実に和らげることができる。
【００１１】
第５の発明は、特に、第１〜４のいずれか一つの発明の電動送風機への通電を停止した後も、バイブレーターを駆動するようにしたもので、フィルタや紙パックに付着した塵埃をより確実に取り除くことができる。
【００１２】
第６の発明は、特に、第５の発明の塵埃センサーの信号をパルス信号に変換するパルス変換部を設け、前記パルス変換部からの信号の積算量に応じて、電動送風機への通電停止後のバイブレーターの駆動時間を変えるようにしたもので、フィルタもしくは紙パックに付着した塵埃をより効果的に除去することができる。
【００１３】
第７の発明は、特に、第５の発明の塵埃センサーの信号をパルス信号に変換するパルス変換部を設け、前記パルス変換部からの信号の積算量に応じて、電動送風機への通電停止後のバイブレーターの駆動時の振動数を変えるようにしたもので、微小振動による効果的な塵落しを行うことができる。
【００１４】
第８の発明は、特に、第５の発明の塵埃センサーの信号をパルス信号に変換するパルス変換部を設け、前記パルス変換部からの信号の積算量に応じて、電動送風機への通電停止後のバイブレーターの駆動時の振幅を変えるようにしたもので、フィルタもしくは紙パック全体により振動が行き渡り、効果的な塵落しを行うことができる。
【００１５】
第９の発明は、特に、第１〜８のいずれか一つの発明の塵埃集塵装置と連通すると共に被掃除面から塵埃を吸引する吸込具と、前記被掃除面上で前記吸込具を移動させるときに握るハンドルを備え、塵埃センサーの出力に応じて駆動される第２のバイブレーターを前記ハンドルに設けたもので、手元の振動によってごみの吸い込みを体感することができ使い勝手のよい電気掃除機を提供することができる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における電気掃除機の断面図、図２は、同電気掃除機の塵埃センサーの構成図、図３は、同電気掃除機の部分ブロック回路図である。
【００１８】
図１において、電気掃除機１００は、塵埃を吸引する吸込具１０１と本体１０５から構成され、本体１０５は、吸込具１０１を通して塵埃と共に空気を吸引する電動送風機１４と、塵埃を捕集する塵埃集塵装置１３と、コードリール１０４を収納すると共に、上部にハンドル１０６を備えている。
【００１９】
前記本体１０５の内部には、前記電動送風機１４がその最下方に設けられ、その上方に前記塵埃集塵装置１３、さらにその上方にコードリール１０４が配置されている。フィルタ１１は、前記電動送風機１４と前記塵埃集塵装置１３との間に配設されると共に前記塵埃集塵装置１３に備えられている。吸込具１０１から前記集塵装置１３まで接続パイプ１０８によって接続され空気流路１１０を構成している。
【００２０】
前記電動送風機１４と前記塵埃集塵装置１３との間にバイブレーター１２を備え、前記バイブレーター１２は、フィルタ１１に接触して配設されている。
【００２１】
また図２に示すように、前記空気流路１１０の一側に配された発光ダイオード３と、この発光ダイオード３に対向して設けられた受光部４とで、塵埃センサー６が構成され、空気流路１１０を通過する塵埃５により受光部４が受ける光量の変化が検出されるようになっている。
【００２２】
図３において、受光部４からの出力信号は、増幅部１にて増幅され、パルス変換部７にて波形整形され制御手段８に入力される。制御手段８の出力側は、バイブレーター１２に接続され、バイブレーター１２の振動の制御を行う。
【００２３】
以上のように構成された電気掃除機について、以下その動作、作用を説明する。
【００２４】
電気掃除機１００を使用して床面を掃除するとき、吸込具１０１を床面に密着させた状態でハンドル１０６を持ち、前後移動動作を行うが、このとき電動送風機１４で発生した吸込力により、吸込具１０１から吸引した塵埃を、吸込風と一緒に空気流路１１０を通じて塵埃集塵装置１３まで搬送する構成としており、このとき比較的重い電動送風機１０２が、塵埃集塵装置１３の下方の本体１０５下方に設けられているため、本体１０５を前後左右方向に回動させても重く感じることがなく、特にベッドの下等を掃除しようとしたときにも、容易に本体１０５を支えることができる。
【００２５】
吸込具１０１を通して吸引された塵埃５は、空気流路１１０に配設された塵埃センサー６を通過した際に検出され、この塵埃センサー６の出力は、増幅部１で増幅された後、パルス変換部７によってパルス変換され、制御手段８へ入力され、前記制御手段８からの出力によりバイブレーター１２が振動する。
【００２６】
また塵埃センサー６の出力波形によって塵埃５の大きさを判断し、制御手段８への出力に反映させ、前記バイブレーター１２の振動量を調整するようにしても良い。前記バイブレーター１２は、フィルタ１１と接触して配設されているため、前記バイブレーター１２の振動によりフィルタ１１が振動し、前記フィルタ１１内部の塵埃を一定個所に滞留するのを防ぐことができる。
【００２７】
なお、パルス変換部７からの信号を積算して、その積算値が所定値を超えたときに、すなわち所定量の塵埃がフィルタ１１に堆積したときに、バイブレーター１２を駆動させて、フィルタ１１に振動を加えるようにすれば、より効率的である。
【００２８】
また図４に示すように、前記バイブレーター１２を複数個配設するようにすれば、前記塵埃集塵装置１３の振動が大きくなり、より効果的に塵埃５の不均一化をはかることができる。同じく図４に示すように、ハンドル１０６に第２のバイブレーター１５を設け、塵埃センサー６の出力に連動して、その第２のバイブレーター１５を振動させるようにすれば、塵埃５の吸い込み状況を振動によって実感することができ、使い勝手のよい電気掃除機を提供することができる。
【００２９】
又、フィルタ１１を、紙パック（図示せず）で形成するようにすれば、フィルタ１１の手入れを必要とせず紙パックを交換するだけでよいので、使い勝手のよい電気掃除機を提供することができる。
【００３０】
又、電動送風機１４への通電を停止した後も、バイブレーター１２を駆動するようにすれば、フィルタ１１や紙パックに付着した塵埃をより確実に取り除くことができる。
【００３１】
さらに、パルス変換部７からの信号の積算量に応じて、電動送風機１４への通電停止後のバイブレーター１２の駆動時間を変えるようにすれば、フィルタ１１もしくは紙パックに付着した塵埃をより効果的に除去することができる。
【００３２】
又、パルス変換部７からの信号の積算量に応じて、電動送風機１４への通電停止後のバイブレーター１２の駆動時の振動数を変えるようにすれば、微小振動による効果的な塵落しを行うことができる。
【００３３】
又、パルス変換部７からの信号の積算量に応じて、電動送風機１４への通電停止後のバイブレーター１２の駆動時の振幅を変えるようにすれば、フィルタ１１もしくは紙パック全体により振動が行き渡り、効果的な塵落しを行うことができる。
【産業上の利用可能性】
【００３４】
以上のように、本発明にかかる電気掃除機は、塵埃センサーとバイブレーターを連動させて、振動によってフィルタもしくは紙パック繊維に付着した塵埃を落とすことにより、長期間、吸引力が低下しないもので、家庭用、業務用、店舗用の各種電気掃除機に適用することができる。
【図面の簡単な説明】
【００３５】
【図１】本発明の実施の形態１における電気掃除機の断面図
【図２】同電気掃除機の塵埃センサーの構成図
【図３】同電気掃除機の部分ブロック回路図
【図４】他の例を示す電気掃除機の全体構成を示した断面図
【符号の説明】
【００３６】
３      発光ダイオード
４      受光部
６      塵埃センサー
７      パルス変換部
８      制御手段
１１    フィルタ
１２    バイブレーター
１３    塵埃集塵装置
１４    電動送風機
１５    第２のバイブレーター（バイブレーター）
１００  電気掃除機
１０１  吸込具
１０４  コードリール
１０５  本体
１０６  ハンドル
１０８  接続パイプ
１１０  空気流路
【図１】
2007296050.tif 000003
【図２】
2007296050.tif 000004
【図３】
2007296050.tif 000005
【図４】
2007296050.tif 000006